(57)【特許請求の範囲】
【請求項１】
表面シート、裏面シート及び両シート間に配された吸収体を具備し、該吸収体が、着用者の身体側に向けて隆起する前方隆起部を排泄部対向域に有するとともに、該前方隆起部よりも後方側に後方隆起部を有する縦長の吸収性物品であって、
前記前方隆起部における左右の周縁部に沿って、前記表面シートと前記吸収体とを接合し、かつ物品の長手方向に延びる連続圧縮部が形成されており、
前記前方隆起部における前後の長手方向周縁部のうち、少なくとも物品の後方側の長手方向周縁部に、前記表面シートと前記吸収体とを接合し、かつ物品の幅方向に延びる複数の線状の圧縮部がそれぞれ互いに離間して配置された集合体からなる非連続圧縮部群が形成されており、
前記吸収体は、前記非連続圧縮部群を挟んで前記前方隆起部よりも物品の後方側に、前記後方隆起部を有し、
前記非連続圧縮部群は、複数の圧縮部が列状に配置されてなる第１の圧縮部列及び第２の圧縮部列を有し、
第１の圧縮部列と第２の圧縮部列は、物品の幅方向に延びているとともに、物品の長手方向に沿って配置され、かつ物品の長手方向の後方側の端部へ向けて凸状の破線を描くように配置され、
第１の圧縮部列の圧縮部と第２の圧縮部列の圧縮部は、物品の幅方向に互い違いに配置されており、
前記非連続圧縮部群の複数の前記圧縮部それぞれを物品の長手方向に沿ってみたときに、前記隆起部の幅方向両側部間の領域において、一の圧縮部が他の圧縮部と、幅方向の位置が重なる重なり部を有し、それによって物品の長手方向に沿ってみたときに、前記領域において、複数の前記圧縮部が物品の幅方向にわたり見かけ上途切れなく連なっている吸収性物品。
【請求項２】
前記後方隆起部における前後の長手方向周縁部のうち、物品の後方側の長手方向周縁部に、前記表面シートと前記吸収体とを接合し、かつ物品の幅方向に延びる複数の線状の第２圧縮部の集合体からなる第２非連続圧縮部群が形成されている請求項１に記載の吸収性物品。
【請求項３】
前記非連続圧縮部群においては、物品の幅方向に延びるように仮想的に引いた線に対して対称となるように各圧縮部が配置されている請求項１又は２に記載の吸収性物品。
【請求項４】
前記非連続圧縮部群は、５個以上の前記圧縮部の集合体からなる請求項１ないし３のいずれか一項に記載の吸収性物品。
【発明の詳細な説明】
【技術分野】
【０００１】
本発明は、生理用ナプキン等の吸収性物品に関する。
【背景技術】
【０００２】
生理用ナプキン等の吸収性物品の技術分野において、該物品の表面シート側からエンボス加工を施して凹状のエンボス部を形成し、該エンボス部によって液を所望の方向へと案内する技術が知られている。例えば吸収性物品の長手方向中央域における左右の側部域に、曲線的な非直線状の不連続な複数のエンボス部を形成することで、液が物品の前後端部へ向けて流れ出ないようにすることが提案されている（特許文献１参照）。
【０００３】
別の技術として、表面シートの表面側から付与した表面エンボスと、これとは別に、表面エンボスの付与領域に、透液性表面シートを積層する前に吸収体に付与した吸収体エンボスを有する構造の吸収性物品も提案されている（特許文献２参照）。表面エンボスはドット状エンボスであり、かつ吸収体エンボスは線状エンボスであり、表面エンボスは、吸収体エンボスに対して重なることなく隣接して形成されている。
【先行技術文献】
【特許文献】
【０００４】
【特許文献１】国際公開第２００４／０７８０８５号パンプレット
【特許文献２】特開２００５−１６０７０２号公報
【発明の概要】
【発明が解決しようとする課題】
【０００５】
しかし、前記の各文献に記載の技術は、排泄された液が過度に広がることを防止するにとどまり、物品と着用者の身体との間に隙間が発生することを防止したり、物品のフィット性を高めたりすることについては、改良の余地が残されている。物品と着用者の身体との間に隙間が発生することを防止したり、物品のフィット性を高めたりすることは、特に長い装着時間が想定されている夜用の吸収性物品において重要である。
【０００６】
したがって本発明の課題は、前述した従来技術が有する欠点を解消し得る吸収性物品を提供することにある。
【課題を解決するための手段】
【０００７】
前記の課題を解決すべく本発明者らは鋭意検討した結果、排泄部対向域に隆起部を有する吸収性物品において、該隆起部の周縁部に特定の形状の圧縮部を形成することで、液広がりの防止とフィット性の向上とを両立させ得ることを知見した。
【０００８】
本発明は前記の知見に基づきなされたものであり、表面シート、裏面シート及び両シート間に配された吸収体を具備し、該吸収体が、着用者の身体側に向けて隆起する隆起部を排泄部対向域に有する縦長の吸収性物品であって、
前記隆起部における左右の周縁部に沿って、前記表面シートと前記吸収体とを接合し、かつ物品の長手方向に延びる連続圧縮部が形成されており、
前記隆起部における前後の長手方向周縁部のうちの少なくとも一方に、前記表面シートと前記吸収体とを接合し、かつ物品の幅方向に延びる複数の線状の圧縮部がそれぞれ互いに離間して配置された集合体からなる非連続圧縮部群が形成されており、
前記非連続圧縮部群の複数の前記圧縮部それぞれを物品の長手方向に沿ってみたときに、前記隆起部の幅方向両側部間の領域において、一の圧縮部が他の圧縮部と、幅方向の位置が重なる重なり部を有し、それによって物品の長手方向に沿ってみたときに、前記領域において、複数の前記圧縮部が物品の幅方向にわたり見かけ上途切れなく連なっている吸収性物品を提供することで、前記の課題を解決したものである。
【発明の効果】
【０００９】
本発明によれば、排泄された液が表面シートの面方向に沿って過度に広がることが防止されるとともに、装着状態において着用者の身体との間に隙間が生じづらく、フィット性が向上した吸収性物品が提供される。
【図面の簡単な説明】
【００１０】
【図１】図１は、本発明の吸収性物品の一実施形態としての生理用ナプキンを、その表面シート側からみた平面図である。
【図２】図２は、図１におけるII−II線断面図である。
【図３】図３は、図１に示すナプキンにおける前方隆起部と後方隆起部との間を拡大して示す模式図である。
【図４】図４は、図１に示すナプキンの装着状態を示す斜視図である。
【図５】図５は、図１に示すナプキンにおける前方隆起部と後方隆起部との間を拡大して示す模式図（図３相当図）である。
【図６】図６は、図１に示すナプキンにおける前方隆起部と後方隆起部との間を拡大して示す模式図（図３相当図）である。
【図７】図７は、図１に示すナプキンにおける前方隆起部と後方隆起部との間を拡大して示す模式図（図３相当図）である。
【図８】図８は、本発明の吸収性物品の他の実施形態としての生理用ナプキンを、その表面シート側からみた平面図である。
【図９】図９は、実施例１〜４及び比較例１で用いた生理用ナプキンの寸法を示す平面図である。
【図１０】図１０は、実施例１〜４及び比較例１それぞれの第１非連続圧縮部群の配置パターン及び寸法を示す図である。
【発明を実施するための形態】
【００１１】
以下本発明を、その好ましい実施形態に基づき図面を参照しながら説明する。図１には、本発明の吸収性物品の一実施形態のとしての生理用ナプキンが示されている。同図に示すナプキン１０は、肌当接面を形成する表面シート１１、非肌当接面を形成する裏面シート（図示せず）及び両シート間に介在する吸収体１２を有する。ナプキン１０は、実質的に縦長の形状を有するものである。同図においては、長手方向の上側がナプキン１０の装着状態における前方側であり、下側がナプキン１０の装着状態における後方側である。
【００１２】
表面シート１１、裏面シート及び吸収体１２の構成材料としては、当該技術分野において通常用いられているものと同様のものを特に制限なく用いることができる。例えば表面シート１１としては、不織布や穿孔フィルム等の液透過性のシート材料を用いることができる。裏面シートとしては、樹脂フィルムや不織布積層体等の液不透過性シート材料又は液難透過性シート材料を用いることができる。裏面シートは水蒸気透過性を有していてもよい。吸収体１２としては、木材パルプの積繊体又は木材パルプと高吸収性ポリマーとの混合物の積繊体を用いることができる。
【００１３】
図１には示していないが、ナプキン１０は、表面シート１１の側における左右の側部に、ナプキン１０の長手方向に延びる防漏カフを備えていてもよい。この防漏カフとしては、例えば本出願人の先の出願に係る特開２００３−２４５３０６号公報や特開２００６−２３９１６２号公報に記載のものを採用することができるが、これらに限られない。
【００１４】
ナプキン１０は、その排泄部対向域Ｄにおいて、吸収体１２の側縁から側方に延出する一対のウイング部１３を有している。排泄部対向域Ｄは、ナプキン１０を装着した状態において、着用者の体液排泄部に臨む領域である。ウイング部１３は例えば、表面シート１１及び／又は裏面シートが、吸収体１２の側縁から側方に延出した部位によって形成することができる。あるいは、表面シートや裏面シートとは別のシート材料を用いてウイング部１３を形成することもできる。ウイング部１３における非肌当接面には、該ウイング部１３をショーツ等の着衣に固着させるための粘着部１４が設けられている。
【００１５】
ナプキン１０は、主として終夜装着されることを想定したものであり、その全長が、通常のナプキンよりも長くなっている。つまり、ナプキン１０はいわゆる夜用のものである。したがってナプキン１０は、夜用のナプキンに特有の部材である後方フラップ部１５を一対有している。後方フラップ部１５は、ナプキン１０における排泄部対向域Ｄよりも後方側に位置している。後方フラップ部１５は、吸収体１２の側縁から側方に延出している。後方フラップ部１５の側方への延出幅は、後方に向かうに連れて漸次増加している。尤も、後方フラップ部１５の形状はこれに限られず、弧状、矩形状、台形状などの形状とすることもできる。上述したウイング部１３と同様に、後方フラップ部１５は例えば、表面シート１１及び／又は裏面シートが、吸収体１２の側縁から側方に延出した部位によって形成することができる。あるいは、表面シートや裏面シートとは別のシート材料を用いて後方フラップ部１５を形成することもできる。後方フラップ部１５における非肌当接面には、該後方フラップ部１５をショーツ等の着衣に固着させるための粘着部１６が設けられている。上述したウイング部１３は、これを折り返してショーツ等の着衣の外面に固着させるのに対して、後方フラップ部１５は、これを折り返すことなく、ショーツ等の着衣の内面に固着され、ナプキン１０の装着状態において、着用者の臀部の一部又は全体を広く覆う。これによって、就寝中に排泄された液が着用者の肌を伝わり後ろ側に漏れ出ても、後方フラップ部１５によって吸収されるので、液漏れが効果的に防止される。この観点から、後方フラップ部１５は吸収紙等を始めとする吸液性のシートを備えていることが好ましい。
【００１６】
ナプキン１０の吸収体１２は段差構造になっている。詳細には、図２に示すように、吸収体１２は、下部吸収体１７と、その上に配置された２つの上部吸収体１８，１９を有している。２つの上部吸収体のうち、ナプキン１０の前方側に位置する前方上部吸収体１８は、排泄部対向域Ｄに形成されている。一方、ナプキン１０の後方側に位置する後方上部吸収体１９は、前方上部吸収体１８から所定の距離を隔てて該前方上部吸収体１８よりもナプキン１０の後方側に形成されている。前方上部吸収体１８は、一対のウイング部１３の間に位置し、また後方上部吸収体１９は、一対の後方フラップ部１５の間に位置している。
【００１７】
下部吸収体１７は、２つの上部吸収体１８，１９よりも寸法が大きいものであり、吸収体１２を平面視すると、２つの上部吸収体１８，１９の周縁から下部吸収体１７が延出した状態になっている。つまり、２つの上部吸収体１８，１９は、下部吸収体１７の上面から着用者の身体側に向けて隆起した状態になっている。その結果、吸収体１２は、排泄部対向域Ｄに前方隆起部２０を有し、かつ該前方隆起部２０よりもナプキンの後方側に後方隆起部２１を有したものなっている。ナプキン１０の装着状態において前方隆起部２０は、着用者の体液排泄部に臨むように位置する。一方、後方隆起部２１は、着用者の臀裂に位置する。なお、吸収体１２においては、前方隆起部２０及び後方隆起部２１が形成されるようにさえなっていれば、該吸収体１２が下部吸収体１７及び２つの上部吸収体１８，１９から構成されていることは要せず、これらを一体的に形成してもよい。
【００１８】
再び図１に戻ると、排泄部対向域Ｄにおいては、前方隆起部２０における左右の側縁に沿って、ナプキンの長手方向に延びる長手方向前方連続圧縮部２２が一対形成されている。長手方向前方連続圧縮部２２においては、表面シート１１と吸収体１２とが熱を伴うか又は伴わない圧密化によって結合されている。長手方向前方連続圧縮部２２は凹状の連続溝になっている。
【００１９】
排泄部対向域Ｄよりも後方側においては、後方隆起部２１における左右の側縁に沿って、ナプキンの長手方向に延びる長手方向後方連続圧縮部２３が一対形成されている。上述した長手方向前方連続圧縮部２２と同様に、長手方向後方連続圧縮部２３においても、表面シート１１と吸収体１２とが熱を伴うか又は伴わない圧密化によって結合されている。長手方向後方連続圧縮部２３は凹状の連続溝になっている。また、長手方向前方連続圧縮部２２の後端は、長手方向後方連続圧縮部２３の前端と滑らかに連なっており、両圧縮部２２，２３によって１本の連続した圧縮部をなしている。
【００２０】
前方隆起部２０における前後の長手方向周縁部のうち、ナプキン１０の前方側の長手方向周縁部には、ナプキン１０の幅方向に延びる幅方向前方連続圧縮部２４が形成されている。この幅方向前方連続圧縮部２４の詳細については、上述した長手方向前方連続圧縮部２２についての説明が適宜適用される。幅方向前方連続圧縮部２４は、ナプキンの前方側に向けた凸状の曲線となっている。幅方向前方連続圧縮部２４の左右の端部は、上述した一対の長手方向前方連続圧縮部２２の前端と滑らかに連なっている。
【００２１】
排泄部対向域Ｄよりも後方側においては、後方隆起部２１における前後の長手方向周縁部のうち、ナプキン１０の後方側の長手方向周縁部に、ナプキン１０の幅方向に延びる幅方向後方連続圧縮部２５が形成されている。この幅方向後方連続圧縮部２５の詳細については、上述した長手方向後方連続圧縮部２３についての説明が適宜適用される。幅方向後方連続圧縮部２５は、ナプキンの後方側に向けた凸状の曲線となっている。幅方向後方連続圧縮部２５の左右の端部は、上述した一対の長手方向後方連続圧縮部２３の後端と滑らかに連なっている。
【００２２】
以上のとおり、長手方向に延びる前方連続圧縮部２２及び後方連続圧縮部２３と、幅方向に延びる前方連続圧縮部２４及び後方連続圧縮部２５は、これらが滑らかに連なっているので、これらの圧縮部からなる閉じた連続線がナプキン１０の表面シート１１の側に形成されることになる。そして、この閉じた連続線の内側に前方隆起部２０及び後方隆起部２１が位置している。このような連続線が形成されていることで、特に排泄部対向域Ｄに長手方向に延びる前方連続圧縮部２２が形成されていることで、凹状の溝部からなるこれらの圧縮部に液が案内されて流れるので、該液が表面シート１１の面方向に沿って過度に広がることが効果的に防止される。また、これらの圧縮部はナプキン変形の可撓軸として作用し、ナプキン１０の装着状態において、ナプキン１０が着用者の身体とフィットするように首尾良く変形しやすくなる。
【００２３】
ナプキン１０が上述の連続圧縮部を有することに加え、該ナプキン１０は非連続圧縮部も有している。この非連続圧縮部は、前方隆起部２０における前後の長手方向周縁部のうち、ナプキン１０の後方側の長手方向周縁部に形成されている。図１においては、この非連続圧縮部を構成する各圧縮部が符号２６で示されている。以下、この圧縮部を「第１圧縮部」という。第１圧縮部２６は線状のもので複数個形成されており、これら複数個の第１圧縮部２６がそれぞれ離間して配置された集合体から第１非連続圧縮部群２７が形成されている。先に述べた後方隆起部２１は、第１非連続圧縮部群２７を挟んで前方隆起部２０よりもナプキン１０の後方側に位置している。
【００２４】
第１非連続圧縮部群２７を構成する各第１圧縮部２６は、ナプキン１０の概ね幅方向に延びるように形成されている。各第１圧縮部２６においては、表面シート１１と吸収体１２とが熱を伴うか又は伴わない圧密化によって結合されている。各第１圧縮部２６は凹状の溝部になっている。
【００２５】
第１圧縮部２６からなる非連続圧縮部においては、厚みＴｎとＴ０との比であるＴｎ／Ｔ０が、好ましくは０．８５以上、更に好ましくは０．９以上である。ここで厚みＴｎは、凹状に形成された第１圧縮部２６の延びる方向において、隣り合う該第１圧縮部２６どうしを結んだ部位の中間位置でのナプキン１０の厚みである。Ｔ０は、連続圧縮部及び非連続圧縮部のいずれもが形成されていない領域（連続圧縮部及び非連続圧縮部と同じ構成を有する部位であって、かつ連続圧縮部及び非連続圧縮部から２０ｍｍ以上離間した部分）でのナプキン１０の厚みである。一方、連続圧縮部においては、その厚みＴｓと前記Ｔ０との比であるＴｓ／Ｔ０が０．８未満であることが好ましい。連続圧縮部は、その形状安定性の点から、複数の厚みを有する構造であることが好ましい。
【００２６】
前記の厚みＴｎ、Ｔｓ及びＴ０は次のようにして測定される。すなわち、厚みＴ０の形成領域において、カトーテック製ＫＥＳ−Ｇ５を使用して０．５ｇ／ｃｍ2荷重時の厚みを、異なる３ヶ所（可能であれば表面シート及び吸収体だけで）計測してＴ０を測定する。厚みＴｎの形成部位では、第１圧縮部２６の延びる方向の切断面から、厚みＴｓの形成部位では第１圧縮部２６の延びる方向に略直交する切断面から、キーエンス製マイクロスコープＶＨＸ−１０００を使用して、該当部分の表面シートと吸収体下部の間の距離を、異なる３ヶ所（又は異なるサンプル）において測定する。そして３点の測定値の平均値を厚みＴｎ及びＴｓとする。各計測は、２３℃・５０％ＲＨ環境下で行う。ＫＥＳ−Ｇ５システムは、計測プログラムと測定本体から構成されており、計測プログラムの条件は、試料：布・フィルム、ＳＥＮＳ：２、力計の種類：１ｋｇ、ＳＰＥＥＤ  ＲＡＮＧＥ：０．１−２ｃｍ／ｓｅｃ（０．２ｍｍ／ｓｅｃ）、ＤＥＦ感度：５ｍｍ／、加圧面積２ｃｍ2、測定荷重：５．０ｇｆ／ｃｍ2（上限荷重５０ｇｆ／ｃｍ2）、繰り返し回数１回とする。また、切断面を計測する場合は、切断後１０分以内に計測を終了するようにする。
【００２７】
本実施形態のナプキン１０は、第１非連続圧縮部群２７を構成する各第１圧縮部２６の配置パターンに特徴の一つを有する。詳細には、第１非連続圧縮部群２７の各第１圧縮部２６をナプキン１０の長手方向に沿ってみたときに、前方隆起部２０の幅方向両側部間の領域Ｗ（図３参照）において、一の第１圧縮部２６が他の第１圧縮部２６と幅方向の位置が重なる重なり部を有している。その結果、ナプキン１０の長手方向に沿ってみたときに、前記領域Ｗにおいて、複数の第１圧縮部２６がナプキン１０の幅方向にわたり見かけ上途切れなく連なっている。例えば図３に示す実施形態では第１非連続圧縮部群２７が５個の第１圧縮部２６ａ〜２６ｅから構成されているところ、そのうちの一つである第１圧縮部２６ａに着目すると、ナプキン１０の長手方向に沿ってみたときに、この圧縮部２６ａは、他の第１圧縮部である圧縮部２６ｃ及び２６ｄと重なり部を有している。また、第１圧縮部２６ｂに着目すると、ナプキン１０の長手方向に沿ってみたときに、この圧縮部２６ｂは、他の第１圧縮部である圧縮部２６ｄ及び２６ｅと重なり部を有している。他の第１圧縮部についても同様である。そして、第１圧縮部２６ａ〜２６ｅは、ナプキン１０の長手方向に沿ってみたときに、前方隆起部２０の幅方向両側部間の領域Ｗ内において、生理用ナプキン１０の幅方向にわたり見かけ上途切れなく連なっている。
【００２８】
第１圧縮部２６ａ〜２６ｅが上述したパターンで配置されていることで、ナプキン１０の排泄部対向域Ｄに液が排泄された場合、該液がナプキン１０の長手方向に沿って後方部へ向けて流れ出るときに、いずれかの第１圧縮部２６ａ〜２６ｅによってその流れが阻止されるので、該液が表面シート１０の面方向に沿って過度に広がることが効果的に防止される。この観点からは、第１圧縮部２６ａ〜２６ｅは、非連続であるよりも、ナプキン１０の幅方向に延びる連続圧縮部であることが有利ではないかとの考えもある。しかし前方隆起部２０の後方側に、ナプキン１０の幅方向に延びる連続圧縮部を形成すると、該連続圧縮部の剛性が高いことに起因して（圧縮部は表面シート１１と吸収体１２とが結合した部位なので）、前方隆起部２０の後方側においてナプキン１０が首尾良く変形することができず、ナプキン１０と着用者の身体との間に隙間が生じやすくなってしまう。この隙間の発生は、ナプキン１０のフィット性の低下につながり、液漏れの原因となる。これに対して、前方隆起部２０の後方側において本実施形態のように非連続の圧縮部を形成すれば、圧縮部の形成に起因する剛性の増大が連続の圧縮部を形成した場合よりも低減されるので、前方隆起部２０の後方側においてナプキン１０が首尾良く変形するようになる。特に、前方隆起部及び後方隆起部という２つの隆起部が存在しているナプキンの場合、両隆起部の間においてナプキンが首尾良く変形しないと、両隆起部の間においてナプキンと着用者の身体との間に隙間が非常に発生しやすいが、本実施形態によれば、図４に示すように、両隆起部２０，２１の間においてナプキン１０が首尾良く変形するので、両隆起部２０，２１の間においてナプキン１０と着用者の身体との間に隙間が生じづらい。この結果、排泄された液が身体の表面を伝いづらくなり、吸収体に直ちに吸収されるので、ナプキン１０の側縁部に液が達して横漏れが生じることが効果的に防止される。更に、非連続圧縮部を構成する各第１圧縮部２６からなるナプキン幅方向に延びる圧縮部列が、後述するようにナプキン１０の長手方向に直列に複数形成され、かつ各圧縮部列を構成する第１圧縮部２６は、ナプキンの幅方向に互い違いに配置されているので、ナプキン１０の側縁部までに至る液の流出経路が長くなり、防漏性を一層高めることができる。
【００２９】
このように、本実施形態のナプキン１０によれば、複数の圧縮部２６ａ〜２６ｅを非連続の特定のパターンで配置してなる第１非連続圧縮部群２７を、前方隆起部２０の後方側に形成することで、排泄された液が表面シート１０の面方向に沿って過度に広がることが効果的に防止されるという有利な効果と、ナプキン１０と着用者の身体との間に隙間が生じづらくなるという有利な効果が奏される。これらの効果を一層顕著なものとする観点から、第１非連続圧縮部群２７は、５個以上の非連続な圧縮部の集合体から構成されていることが好ましい。特に、以下に述べるように、複数の第１圧縮部がナプキン１０の幅方向に延びる列をなすように配列され、かつ該列を複数配置することが好ましい。
【００３０】
第１非連続圧縮部群２７を構成する各第１圧縮部２６は、上述のとおりナプキン１０の幅方向に延びている。そして第１非連続圧縮部群２７は、複数の第１圧縮部２６ａ，２６ｂから構成される第１の圧縮部列と、同じく複数の第１圧縮部２６ｃ，２６ｄ，２６ｅから構成される第２の圧縮部列とを少なくとも有していることが好ましい。各圧縮部列はいずれもナプキン１０の幅方向に延びている。また各圧縮部列はナプキン１０の長手方向に沿って配置されている。第１の圧縮部列の圧縮部２６ａ，２６ｂと、第２の圧縮部列の圧縮部２６ｃ，２６ｄ，２６ｅは、ナプキン１０の幅方向に互い違いに配置されている。特に第１の圧縮部列及び第２の圧縮部列はいずれも、ナプキン１０の長手方向端部へ向けて凸状の破線を描くように配置されていることが好ましい。例えば、図３に示すようなパターンで第１圧縮部２６ａ〜２６ｅを配置すれば、ナプキン１０の後方側に位置する２つの第１圧縮部２６ａ，２６ｂを滑らかに連ねることで、ナプキン１０の後方側の端部へ向けた第１の凸状の軌跡が描かれる。また、ナプキン１０の前方側に位置する３つの第１圧縮部２６ｃ，２６ｄ，２６ｅを滑らかに連ねることで、ナプキン１０の後方側の端部へ向けた第２の凸状の軌跡が描かれる。このように、本実施形態においては、凸状の軌跡が二重に描かれるように各第１圧縮部２６ａ〜２６ｅが配置されている。このような配置パターンを採用することで、前方隆起部２０と後方隆起部２１との間においてナプキン１０が一層首尾良く変形するようになる。
【００３１】
第１の圧縮部列においては、非連続圧縮部である第１圧縮部２６どうしの間は、上述のとおり厚みＴｎを有し、前記のＴｎ／Ｔ０の値が上述の範囲内であることが好ましい。また第１の圧縮部列においては、第１圧縮部２６どうしの間隔は、非連続圧縮部群２７の可撓性の向上及びナプキンの防漏性の向上の観点から、５〜１５ｍｍであることが好ましい。第２の圧縮部列においても同様である。同様の観点から、ナプキン１０の長手方向における第１の圧縮部列と第２の圧縮部列との間隔は、７〜１５ｍｍであることが好ましい。
【００３２】
ナプキン１０と着用者の身体との間に生じる隙間を一層低減させる観点から、第１非連続圧縮部群２７においては、これをナプキン１０の幅方向に沿ってみたときに、一の第１圧縮部が他の第１圧縮部と重なり部を有さないように各第１圧縮部２６ａ〜２６ｅを配置することも好ましい。例えば図３に示す実施形態では、第１非連続圧縮部群２７に、幅方向に延びる直線を引いたとき（同図中、この線を一点鎖線３３で示す）、この一点鎖線３３は、いずれの第１圧縮部２６ａ〜２６ｅとも交差しないものとなる。このことは、第１非連続圧縮部群２７の領域内に、非圧縮部がナプキン１０の幅方向に延びるように形成されていることを意味する。この非圧縮部は、その剛性が圧縮部よりも低いので、前方隆起部２０の後方側においてナプキン１０をその幅方向に沿って曲げ変形させると、該非圧縮部に沿ってナプキン１０容易に変形する。その結果、ナプキン１０と着用者の身体との間に隙間が一層生じづらくなる。
【００３３】
本実施形態のナプキン１０においては、後方隆起部２１における前後の長手方向周縁部のうち、ナプキン１０の後方側の長手方向周縁部に、線状の第２圧縮部２８が複数個形成され、これらの圧縮部２８の集合体から構成される第２非連続圧縮部群２９が形成されている。第２非連続圧縮部群２９は、後方隆起部２１の後端と、幅方向後方連続圧縮部２５との間に位置している。各第２圧縮部２８は、ナプキン１０の概ね幅方向に延びている。各第２圧縮部２８においては、表面シート１１と吸収体１２とが熱を伴うか又は伴わない圧密化によって結合されている。各第２圧縮部２８は凹状の溝部になっている。
【００３４】
第２非連続圧縮部群２９においては、該第２非連続圧縮部群２９をナプキン１０の長手方向に沿ってみたときに、少なくとも後方隆起部２１の幅方向両側部間の領域において、一の第２圧縮部２８が他の第２圧縮部２８と重なり部を有するように各第２圧縮部２８が配置されていることが好ましい。このような配置状態は、先に述べた第１非連続圧縮部群２７における第１圧縮部２６の配置状態と同様である。したがって、第２非連続圧縮部群２９に関して特に説明しない点については、先に述べた第１非連続圧縮部群２７に関する説明が適宜適用される。第２非連続圧縮部群２９においてこのような構成を採用することで、後方隆起部２１の後方側において、排泄された液が表面シート１０の面方向に沿って過度に広がることが効果的に防止されるという有利な効果と、ナプキン１０と着用者の身体との間に隙間が生じづらくなるという有利な効果が奏される。これらの効果を一層顕著なものとする観点から、第２非連続圧縮部群２９は５個以上の非連続な圧縮部の集合体から構成されていることが好ましい。
【００３５】
また、第２非連続圧縮部群２９においては、該第２非連続圧縮部群２９を構成する複数の第２圧縮部２８は、該第２圧縮部２８を仮想的に連ねたときに、ナプキン１０の後方側へ向けた凸状の軌跡を描くように配置されていることが好ましい。更に、第２非連続圧縮部群２９においては、これをナプキン１０の幅方向に沿ってみたときに、一の第２圧縮部２８が他の第２圧縮部２８と重なり部を有さないように各第２圧縮部２８を配置することも好ましい。このような構成を採用することで、ナプキン１０と着用者の身体との間に生じる隙間を一層低減させることが可能になる。
【００３６】
本実施形態のナプキン１０においては、前方隆起部２０における前後の長手方向周縁部のうち、ナプキン１０の前方側の長手方向周縁部に、線状の第３圧縮部３０が複数個形成され、これらの圧縮部３０の集合体から構成される第３非連続圧縮部群３１が形成されている。第３非連続圧縮部群３１は、前方隆起部２０の前端と、幅方向前方連続圧縮部２４との間に位置している。各第３圧縮部３０は、ナプキン１０の概ね幅方向に延びている。各第３圧縮部３０においては、表面シート１１と吸収体１２とが熱を伴うか又は伴わない圧密化によって結合されている。各第２圧縮部３０は凹状の溝部になっている。
【００３７】
第３非連続圧縮部群３１においては、該第３非連続圧縮部群３１をナプキン１０の長手方向に沿ってみたときに、少なくとも前方隆起部２０の幅方向両側部間の領域において、一の第３圧縮部３０が他の第３圧縮部３０と重なり部を有するように各第３圧縮部３０が配置されていることが好ましい。このような配置状態は、先に述べた第１非連続圧縮部群２７における第１圧縮部２６の配置状態と同様である。したがって、第３非連続圧縮部群３１に関して特に説明しない点については、先に述べた第１非連続圧縮部群２７に関する説明が適宜適用される。第３非連続圧縮部群３１においてこのような構成を採用することで、前方隆起部２０の前方側において、排泄された液が表面シート１０の面方向に沿って過度に広がることが効果的に防止されるという有利な効果と、ナプキン１０と着用者の身体との間に隙間が生じづらくなるという有利な効果が奏される。これらの効果を一層顕著なものとする観点から、第３非連続圧縮部群３０は５個以上の非連続な圧縮部の集合体から構成されていることが好ましい。
【００３８】
また、第３非連続圧縮部群３１においては、該第３非連続圧縮部群３１を構成する複数の第３圧縮部３０は、該第３圧縮部３０を仮想的に連ねたときに、ナプキン１０の前方側へ向けた凸状の軌跡を描くように配置されていることが好ましい。更に、第３非連続圧縮部群３１においては、これをナプキン１０の幅方向に沿ってみたときに、一の第３圧縮部３０が他の第３圧縮部３０と重なり部を有さないように各第３圧縮部３０を配置することも好ましい。このような構成を採用することで、ナプキン１０と着用者の身体との間に生じる隙間を一層低減させることが可能になる。
【００３９】
図５〜図７には、第１非連続圧縮部群２７の別の形態がそれぞれ示されている。図５においては、第１非連続圧縮部群２７を構成する複数の第１圧縮部２６を仮想的に連ねたときに、三角形の二辺からなる凸状の軌跡が、ナプキン１０の後方側へ向けて形成されるように、各第１圧縮部２６が配置されている。この三角形の二辺からなる凸状の軌跡は、これが二重に描かれるように各第１圧縮部２６が配置されている。第１圧縮部２６についてのその他の配置パターンは、図３に示す実施形態と同様である。図５に示す実施形態によれば、図３に示す実施形態よりも、後方隆起部２１において、ナプキン１０を幅方向沿って曲げ変形させやすくなる。
【００４０】
図６においては、第１非連続圧縮部群２７において、ナプキン１０の幅方向に延びるように仮想的に引いた線３２に対して前後対称となるように各第１圧縮部２６が配置されている。詳細には、仮想線３２よりもナプキンの前方側に位置する複数の第１圧縮部２６ａは、これらを仮想的に連ねたときに、三角形の二辺からなる凸状の軌跡が、ナプキン１０の後方側へ向けて形成されるように配置されている。かつ複数の第１圧縮部２６ａは、この三角形の二辺からなる凸状の軌跡が二重に描かれるように配置されている。一方、仮想線３２よりもナプキンの後方側に位置する複数の第１圧縮部２６ｂは、これらを仮想的に連ねたときに、三角形の二辺からなる凸状の軌跡が、ナプキン１０の前方側へ向けて形成されるように配置されている。かつ複数の第１圧縮部２６ｂは、この三角形の二辺からなる凸状の軌跡が二重に描かれるように配置されている。図６に示す実施形態によれば、上述した図５に示す実施形態よりも、後方隆起部２１において、ナプキン１０を幅方向沿って一層曲げ変形させやすくなる。
【００４１】
図７においては、第１非連続圧縮部群２７を構成する各第１圧縮部２６は、これらを仮想的に連ねたときに、ナプキン１０の後方側へ向けた凸状の軌跡を描くように配置されている。これとともに各第１圧縮部２６は、これらを仮想的に連ねたときに、ナプキン１０の前方側へ向けた凸状の軌跡を描くようにも配置されている。更に第１非連続圧縮部群２７は、ナプキン１０の幅方向の略中央の位置に、ナプキン１０の長手方向に延びる線状の長手方向圧縮部３４を更に有している。長手方向圧縮部３４はその一端が自由端になっている。また、長手方向圧縮部３４はその他端が、ナプキンの幅方向に延びる第１圧縮部２６に接続されている。詳細には、長手方向圧縮部３４は後方側の一端が自由端になっており、前方側の一端が第１圧縮部２６に接続されている。図７に示す実施形態によれば、図６に示す実施形態と同様の有利な効果が奏される。更に図７に示す実施形態によれば、長手方向圧縮部３４が形成されていることに起因して、後方隆起部２１がナプキン１０の長手方向に沿って一層曲げ変形しやすくなる。
【００４２】
図８に示す実施形態は、これまでに説明してきた実施形態と異なり、ナプキン１０は、前方隆起部２０のみを有し、後方隆起部を有していない。そして、前方隆起部２０の後方側に、複数の圧縮部２６の集合体から構成される非連続圧縮部群２７が形成されている。非連続圧縮部群２７を構成する各圧縮部２６の配置のパターンは、先に述べた図３に示すパターンと同様とすることができる。あるいは、図５〜図７のいずれかのパターンとすることもできる。
【００４３】
なお、図８に示す実施形態においては、前方隆起部２０の後方側にも、複数の圧縮部の集合体から構成される非連続圧縮部群を形成してもよい。この非連続圧縮部群は、図１に示す実施形態における第３非連続圧縮部群と同様の構成とすることができる。
【００４４】
以上、本発明をその好ましい実施形態に基づき説明したが、本発明は前記の実施形態に制限されない。例えば図１に示す実施形態のナプキン１０においては、後方隆起部２１の後方側に第２非連続圧縮部群２９を形成し、かつ前方隆起部２０の前方側に第３非連続圧縮部群３１を形成したが、これらの圧縮部群２９，３１のうちの少なくとも一方は形成しなくてもよい。この場合、第２非連続圧縮部群２９を形成しないときには、第１非連続圧縮部群２７及び第３非連続圧縮部群３１のうちの一方は形成しなくてもよい。
【００４５】
また、図１に示す実施形態のナプキン１０においては、前方隆起部２０の幅方向両側部間の領域Ｗの左右の側方部においても、該領域Ｗからの延長部分としての非連続圧縮部が形成されていてもよい。そして該側方部においても、一の非連続圧縮部が他の非連続圧縮部と、幅方向の位置が重なる重なり部を有し、それによってナプキン１０の長手方向に沿ってみたときに、複数の該非連続圧縮部による見かけ上途切れない圧縮部がナプキン１０の幅方向にわたり形成されるようにしてもよい。
【００４６】
また、図８に示す実施形態においては、前方隆起部２０の後方側に、非連続圧縮部群２７が形成されていたが、これに代えて前方隆起部２０の前方側に、非連続圧縮部群を形成してもよい。
【００４７】
また本発明の吸収性物品は、上述のとおり生理用ナプキンに適用した場合に特に有効であるが、生理用ナプキン以外の吸収性物品に適用することは何ら差し支えない。
【実施例】
【００４８】
以下、実施例により本発明を更に詳細に説明する。しかしながら本発明の範囲は、かかる実施例に制限されるものではない。
【００４９】
〔実施例１〕
図１に示す形態の生理用ナプキンを製造した。このナプキンの寸法は図９に示すとおりである。表面シート１１としては、繊度２．２ｄｔｅｘの芯鞘型熱融着性繊維からなる坪量３０ｇ／ｍ2のエアスルー不織布を用いた。裏面シートとしては、坪量２７ｇ／ｍ2の液不透性ポリエチレンフィルムを用いた。下部吸収体１７としては、フラップパルプと高吸収性ポリマーの混合積繊体（坪量２５５ｇ／ｍ2、荷重３ｋＰａにおける厚み４ｍｍ）を用いた。前方上部吸収体１８としては、フラップパルプと高吸収性ポリマーの混合積繊体（坪量４５０ｇ／ｍ2、荷重３ｋＰａにおける厚み５ｍｍ）を用いた。後方上部吸収体１９としては、フラップパルプと高吸収性ポリマーの混合積繊体（坪量４５０ｇ／ｍ2、荷重３ｋＰａにおける厚み５ｍｍ）を用いた。連続圧縮部２２，２３，２４，２５の幅は３ｍｍであった。非連続圧縮部群２７，２９，３１の詳細は図１０に示すとおりである。
【００５０】
〔実施例２〜４及び比較例１〕
実施例１で用いた第１非連続圧縮部群の配置パターンに代えて、図１０に示す配置パターンの第１非連続圧縮部群を形成した。第２及び第３非連続圧縮部群の配置パターンについては、実施例１と同様にした。これら以外は実施例１と同様にして図１に示す形態の生理用ナプキンを製造した。
【００５１】
〔評価〕
実施例及び比較例で得られたナプキンについて、以下の方法でナプキンのよれ率を測定した。また、以下の方法で第１非連続圧縮部群の柔軟性、ナプキンのフィット性、後方隆起部のよれにくさ、後方隆起部の幅方向への曲げやすさを評価した。それらの結果を以下の表１に示す。
【００５２】
〔ナプキンのよれ率〕
ナプキンの表面シート上に、１０ｍｍマスの格子を縦横に油性ペンで描く。このナプキンを、女性の人体モデルの股間部から臀部の溝に沿って後方側の領域に装着させる。この領域は、着用者の就寝中の姿勢に起因してナプキンの変形（よれ）が大きい領域である。この領域における４０ｍｍ×４０ｍｍの正方形のマスに対して、そのマスに対応するナプキン装着後の歪んだ図形の面積を画像解析によって求める。そして以下の式からよれ率を算出する。
よれ率（％）＝［｛装着前のマスの面積−装着後の歪んだマスの面積｝／装着前のマスの面積］×１００
前記の画像解析は次の方法で行う。光源としてサンライト（ＳＬ−２３０Ｋ２；ＬＰＬ（株）社製）を用いる。レンズ（２４ｍｍ／Ｆ２．８Ｄニッコールレンズ）を接続したＣＣＤカメラ（ＨＶ−３７；日立電子（株）社製）を用いてナプキンを撮影し、画像をビデオボード〔スペクトラ３２００；カノープス（株）社製〕に取り込む。取り込まれた画像をＮＥＸＵＳ社製の画像解析ソフトＮＥＷ ＱＵＢＥ（ｖｅｒ．４．２０）によって歪んだ図形を二値化処理し、前記の面積を算出する。
【００５３】
〔第１非連続圧縮部群の柔軟性〕
第１非連続圧縮部の柔軟性は、第１非連続圧縮部群の長手方向における曲げ剛性によって求められる。曲げ剛性は次のようにして測定される。温度２３℃、湿度５０％ＲＨの試験室にて、ＪＩＳ Ｌ１０９６（一般織物試験方法）に規定された剛軟性測定法に適合した（株）大栄科学精器製作所製：ハンドロメーター試験機を使用する。試験片として、第１非連続圧縮部群が中央部に位置し、製品の長手方向の長さが５０ｍｍ、幅方向の長さが５０ｍｍとなるようにナプキンを切断する。スロット間を２０ｍｍに調整した試料台上に、試験片を、該試験片の測定部位たる第１非連続圧縮部群の長手方向中央がスロット間の中心に位置し、かつ試験片の幅方向がスロットと平行となるように配置する。この場合、表面シート側が上向きになり、かつ試験片が試料台と水平となるようにする。試験片の幅方向における両端は５ｍｍ以上が試料台に載っているように試験片を配置する。試験片は試料台に固定しない。試料台の表面から８ｍｍ下方の位置（最下位置）まで下降するように調整したブレードを、試験片の上方から一定速度（２００ｍｍ／ｍｉｎ）で下降させる。そして、該試験片を長さ方向前後に押圧したときの指示計（荷重計）が示す最高値（ｃＮ）を読み取る。測定は５回行い、その平均値を剛性値とする。算出された剛性値に基づき、以下の基準で第１非連続圧縮部群の柔軟性を評価する。
◎：剛性値が２０ｃＮ／ｃｍ未満
○：剛性値が２０ｃＮ／ｃｍ以上、３０ｃＮ／ｃｍ未満
△：剛性値が３０ｃＮ／ｃｍ以上、４０ｃＮ／ｃｍ未満
×：剛性値が４０ｃＮ／ｃｍ以上
【００５４】
〔ナプキンのフィット性〕
ナプキン表面の種々の位置に小型の圧力センサーを配置させた後、ナプキンを、女性の標準人体モデル（Ｌサイズ相当）の股間部から臀部の溝に沿って装着させる。圧力センサーの示す数値が０．１ｋＰａ以下の箇所をフィットしていない箇所と見なし油性ペンでその箇所にチェックを入れる。チェックされた箇所を写真で撮影し、画像解析ソフトを用いてその面積を測定する。測定された面積に基づき、以下の基準でナプキンのフィット性を評価する。
◎：フィットしていない箇所の面積が５０ｃｍ2未満
○：フィットしていない箇所の面積が５０ｃｍ2以上、１００ｃｍ2未満
△：フィットしていない箇所の面積が１００ｃｍ2以上、１５０ｃｍ2未満
×：フィットしていない箇所の面積が１５０ｃｍ2以上
【００５５】
〔後方隆起部のよれにくさ〕
ナプキンの表面シート上に１０ｍｍマスの格子を縦横に油性ペンで描く。このナプキンを、女性の人体モデルの股間部から臀部の溝に沿って後方側の領域に装着させる。後方隆起部に描かれたマスに対して、そのマスに対応する箇所のナプキン装着後の歪んだ図形の面積を、前述のナプキンのよれ率の測定方法と同様の方法で測定する。測定された面積から、前述のナプキンのよれ率の算出方法と同様の方法で、後方隆起部のよれ率を算出する。算出された後方隆起部のよれ率に基づき、以下の基準で後方隆起部のよれにくさを評価する。
◎：後方隆起部のよれ率が１５％未満
○：後方隆起部のよれ率が１５％以上、２０％未満
△：後方隆起部のよれ率が２０％以上、３０％未満
×：後方隆起部のよれ率が３０％以上
【００５６】
〔後方隆起部の幅方向への曲げやすさ〕
後方隆起部の幅方向への曲げやすさは、後方隆起部の幅方向における曲げ剛性によって求められる。後方隆起部の幅方向における曲げ剛性は次のようにして測定される。温度２３℃、湿度５０％の試験室にて、ＪＩＳ Ｌ１０９６（一般織物試験方法）に規定された剛軟性測定法に適合した（株）大栄科学精器製作所製：ハンドロメーター試験機を使用する。試験片として、後方隆起部が中央部に位置し、製品の長手方向の長さが８０ｍｍとなるようにナプキンを切断する。スロット間を４０ｍｍに調整した試料台上に（後方隆起部が直接装置に触れない状態）、試験片を、該試験片の測定部位たる後方隆起部がスロット間の中心に位置し、かつ試験片の長手方向がスロットと平行となるように配置する。この場合、表面シート側が下向きになり、かつ試験片が試料台と水平となるようにし、後方隆起部が肌側にフィットする後方隆起部周辺の曲げ易さを測定する。試験片の幅方向における両端は５ｍｍ以上が試料台に載っているように試験片を配置する。試験片は試料台に固定しない。試料台の表面から８ｍｍ下方の位置（最下位置）まで下降するように調整したブレードを、試験片の上方から一定速度（２００ｍｍ／ｍｉｎ）で下降させる。そして、該試験片を長さ方向前後に押圧したときの指示計（荷重計）が示す最高値（ｃＮ）を読み取る。測定は５回行い、その平均値に後方隆起部の長手方向長さで除した値を剛性値とする。剛性値に基づき、以下の基準により後方隆起部の幅方向における曲げ剛性を評価する。
◎：剛性値が１８ｃＮ／ｃｍ未満
○：剛性値が１８ｃＮ／ｃｍ以上、２１ｃＮ／ｃｍ未満
△：剛性値が２１ｃＮ／ｃｍ以上、２８ｃＮ／ｃｍ未満
×：剛性値が２８ｃＮ／ｃｍ以上
なお、本実施形態では、７ｃｍの後方隆起部を有しているため、得られた平均値を７ｃｍで除したが、後方隆起部がサンプルの大きさより長くなる場合は、後方隆起部の長手方向長さが８ｃｍとなる。また、測定時のスロット幅は、４０ｍｍを基本とするが、後方隆起部の幅が４０ｍｍを超える場合は、後方隆起部が直接スロットに触れない位置に調整する。
【００５７】
【表１】
0005702108.tif 000002
【００５８】
表１に示す結果から明らかなように、各実施例のナプキン（本発明品）は、比較例のナプキンに比べて、装着に起因するナプキンのよれが少ないことが判る。また、第１非連続圧縮部群は柔軟であり、更にナプキンのフィット性が良好であることが判る。特に、実施例３及び４の配置パターンの第１非連続圧縮部群を採用すると、ナプキンの後方隆起部におけるよれの起こりにくさやナプキンの曲げやすさが一層良好になることが判る。
【符号の説明】
【００５９】
１０  生理用ナプキン
１１  表面シート
１２  吸収体
１７  下部吸収体
１８  前方上部吸収体
１９  後方上部吸収体
２０  前方隆起部
２１  後方隆起部
２２  長手方向前方連続圧縮部
２３  長手方向後方連続圧縮部
２４  幅方向前方連続圧縮部
２５  幅方向後方連続圧縮部
２６  第１圧縮部
２７  第１非連続圧縮部群
２８  第２圧縮部
２９  第２非連続圧縮部群
３０  第３圧縮部
３１  第３非連続圧縮部群
３４  長手方向圧縮部
【図１】
0005702108.tif 000003
【図２】
0005702108.tif 000004
【図３】
0005702108.tif 000005
【図４】
0005702108.tif 000006
【図５】
0005702108.tif 000007
【図６】
0005702108.tif 000008
【図７】
0005702108.tif 000009
【図８】
0005702108.tif 000010
【図９】
0005702108.tif 000011
【図１０】
0005702108.tif 000012